(57)【要約】【課題】  コンパクトかつ十分な強度を得ることができ、画面の向きを軽快に変更可能とする薄型ディスプレイの旋回装置及びディスプレイ支持装置を提供する。【解決手段】  薄型ディスプレイの旋回装置において、画面の水平旋回軸をなす主軸と、前記主軸と平行に設けられる旋回規制軸と、前記主軸を挿入する主軸孔と、挿入された旋回規制軸の可動範囲を規制する弧状の旋回規制孔とを有するベース部材と、前記主軸孔と旋回規制孔とを有するブラケット部材と、前記ベース部材とブラケット部材との間に介在する第１、第２のプレートと、前記主軸と水平旋回軸の各端部に介在させるばね部材と、を備える。前記第１のプレートは前記主軸孔と旋回規制軸孔とを有し、前記ベース部材側に固着され、前記第２のプレートは前記主軸孔と旋回規制孔とを有し、前記ブラケット部材側に固着され、前記ばね部材が第１、第２のプレートを圧接し、急激な旋回を抑制させる。【選択図】  図１１
2005284087.tif 000002
【特許請求の範囲】
【請求項１】
薄型ディスプレイ画面の水平旋回軸をなす主軸と、
前記主軸と平行に設けられる旋回規制軸と、
前記主軸を挿入する主軸孔と、挿入された旋回規制軸の可動範囲を規制する弧状の旋回規制孔とを有するベース部材と、
前記主軸孔と旋回規制軸孔とを有するブラケット部材と、
前記ベース部材とブラケット部材との間に介在する摩擦プレートと、を備え、
前記摩擦プレートは、前記主軸孔と旋回規制軸孔とを有し、前記ブラケット部材側に固着され、
前記摩擦プレートと前記ベース部材とを圧接するよう、前記主軸と水平旋回軸の各端部にばね部材を介在させて構成されること、
を特徴とする薄型ディスプレイの旋回装置。
【請求項２】
薄型ディスプレイ画面の水平旋回軸をなす主軸と、
前記主軸と平行に設けられる旋回規制軸と、
前記主軸を挿入する主軸孔と、挿入された旋回規制軸の可動範囲を規制する弧状の旋回規制孔とを有するブラケット部材と、
前記主軸孔と旋回規制軸孔とを有するベース部材と、
前記ベース部材とブラケット部材との間に介在する摩擦プレートと、を備え、
前記摩擦プレートは、前記主軸孔と旋回規制軸孔とを有し、前記ベース部材側に固着され、
前記摩擦プレートと前記ベース部材とを圧接するよう、前記主軸と水平旋回軸の各端部にばね部材を介在させて構成されること、
を特徴とする薄型ディスプレイの旋回装置。
【請求項３】
請求項１又は２に記載の薄型ディスプレイの旋回装置において、更に、
前記ベース部材と摩擦プレートとの間に介在する第２のプレートを備え、
前記ベース部材は、前記第２のプレートを螺子止めするための螺子孔を有し、
前記第２のプレートは、前記摩擦プレートとの摺動面と抵触しないよう、螺子体の頭部を収納可能な螺子挿入孔を有し、
前記ベース部材と前記第２のプレートとを螺子体により固着した状態で、前記螺子挿入孔が凹部を形成し、潤滑油を保持可能としたこと、
を特徴とする薄型ディスプレイの旋回装置。
【請求項４】
請求項１乃至３いずれか一に記載の薄型ディスプレイの旋回装置と、
前記ブラケット部材側に固着される薄型ディスプレイの取付金具と、
薄型ディスプレイを支持する支持部材と、
少なくとも中央部とその外側に螺子孔を有し、前記ベース部材と支持部材との間に配設される中間板状部材と、を備えるディスプレイ支持装置であって、
前記支持部材の上端に、前記中間板状部材の中央部の螺子孔で上方から前記中間板状部材を螺子止めし、
前記中間板状部材の中央部の螺子孔の外側の螺子孔で、下方から前記薄型ディスプレイの旋回装置を螺子止めして、組み立て可能としたこと、
を特徴とする薄型ディスプレイ支持装置。
【発明の詳細な説明】
【技術分野】
【０００１】
本発明は、薄型ディスプレイの旋回装置及びディスプレイ支持装置に関する。
【背景技術】
【０００２】
特開平８−３１４３８６号公報には、薄型ディスプレイ画面の左右方向の回転角を調整するための旋回機構を備えたディスプレイスタンドが紹介されている。同公報によれば薄型ディスプレイ装置のスタンド部分は、支持アーム下端の回転部と、台座との間に弾性摩擦部材を配置し、該弾性摩擦部材を加圧挟持する制動部材を備えたロックレバーを設けてなっており、ロックレバーを操作することによって、弾性摩擦部材を解放し、回転させることが可能となっている。
【０００３】
また、機器類の旋回部分に適度の制動力を付与することで、旋回部分の回動／静止操作を容易化することも知られている。例えば、特開平１１−１６６３４６号公報には、従来のコイルバネを利用した旋回抑制機構に代えて、ハブ付リングと、該ハブ付リングを密に嵌入する制動筒体との組み合わせによる旋回抑制機構が紹介されている。
【０００４】
【特許文献１】特開平８−３１４３８６号公報
【特許文献２】特開平１１−１６６３４６号公報
【発明の開示】
【発明が解決しようとする課題】
【０００５】
上述したとおり、薄型ディスプレイに、各種の旋回抑制機構を具備させることによって、これら薄型ディスプレイ用のスタンドの使い勝手が向上するものと考えられるが、左右方向の回転軸に作用する大きな力に耐えうるような構成にする必要がある。とりわけ、テレビ用途の大型・大重量の液晶ディスプレイやプラズマディスプレイとなると、パネル自体や基板等の重量に加えて、スピーカや各種インタフェース等の重量が加わるため、パネル面の向きの調整が一層困難となり、回転時には、左右方向の回転軸に大きな力が作用する。
【０００６】
また、上記した旋回抑制機構は、薄型ディスプレイの有する省スペース性を損なうものであってはならないし、軽量であることが望ましい。従って、既存のカメラ等の雲台等に見られる大型の旋回台等を採用することは困難である。
【０００７】
本発明は、上記した各事情を考慮してなされたものであって、その目的とするところは、コンパクトでありながら、十分な強度を得ることが可能であり、併せて、画面の向きを軽快に変更可能とする薄型ディスプレイの旋回装置及びディスプレイ支持装置を提供することにある。
【課題を解決するための手段】
【０００８】
前記課題を解決するための手段を提供する本発明の第１の視点によれば、薄型ディスプレイ画面の水平旋回軸をなす主軸と、前記主軸と平行に設けられる旋回規制軸と、前記主軸を挿入する主軸孔と、挿入された旋回規制軸の可動範囲を規制する弧状の旋回規制孔とを有するベース部材と、前記主軸孔と旋回規制軸孔とを有するブラケット部材と、前記ベース部材とブラケット部材との間に介在する摩擦プレートと、前記主軸と旋回規制軸の各端部に介在させるばね部材と、を備える薄型ディスプレイの旋回装置が提供される。前記摩擦プレートは前記主軸孔と旋回規制軸孔とを有し、前記ブラケット部材側に固着される。前記ばね部材が摩擦プレート前記ベース部材側を圧接し、急激な旋回を抑制する。
【０００９】
また、本発明の第２の視点によれば、上記した薄型ディスプレイの旋回装置のブラケット部材が、前記主軸を挿入する主軸孔と、挿入された旋回規制軸の可動範囲を規制する弧状の旋回規制孔とを有し、前記ベース部材が、前記主軸孔と旋回規制軸孔とを有し、前記摩擦プレートは、前記主軸孔と旋回規制軸孔とを有し、前記ベース部材側に固着される構成に代えることができる。即ち、上記した薄型ディスプレイの旋回装置のブラケット部材とベース部材とを上下転置した構成を採用することができる。
【００１０】
また、本発明の第３の視点によれば、上記した薄型ディスプレイの旋回装置を含んだ薄型ディスプレイ支持装置が提供される。該薄型ディスプレイ支持装置は、上記した薄型ディスプレイの旋回装置と、前記ブラケット部材側に固着される薄型ディスプレイの取付金具と、薄型ディスプレイを支持する支持部材と、少なくとも中央部とその外側に螺子孔を有し、前記ベース部材と支持部材との間に配設される中間板状部材と、を備えてなっている。また、該薄型ディスプレイ支持装置は、前記支持部材の上端に、前記中間板状部材の中央部の螺子孔で上方から前記中間板状部材を螺子止めし、前記中間板状部材の中央部の螺子孔の外側の螺子孔で、下方から前記薄型ディスプレイの旋回装置を螺子止めして、組み立て可能となっている。
【発明の効果】
【００１１】
本発明によれば、摩擦プレートを介して適当な旋回抑制力が得られるため、画面の向きを細かく容易に調整することができる。また、同一の構成で、大型・大重量のディスプレイ本体を支持するに足りる強度を得ることができる。
【発明を実施するための最良の形態】
【００１２】
続いて、本発明の好適な実施の形態について説明する。本発明は、その好ましい形態において、旋回動作の回動部をなすブラケット部材（図１１の３）と、ブラケット部材（図１１の３）の下方に固着される摩擦プレート（図１１の６）と、旋回動作の基部をなすベース部材（図１１の４）と、ベース部材（図１１の４）上に螺子止めされるベースプレート（図１の５；第２のプレート）と、薄型ディスプレイ画面の水平旋回軸をなし、これらを挟着するための主軸（図１１の１）、旋回規制軸（図１１の２ａ、２ｂ）と、主軸（図１１の１）、旋回規制軸（図１１の２ａ、２ｂ）に装着され摩擦プレート（図１１の６）及びベースプレート（図１の５；第２のプレート）を圧接するばね部材（図１１の８ａ、８ｂ、１０）とにより構成される。
【００１３】
ベース部材（図１１の４）は、主軸（図１１の１）の挿入孔と、旋回許容範囲に応じた長さの弧状に設けられた旋回規制孔（ガイド孔）と、を有しており、その上面に、同様の主軸（図１１の１）の挿入孔と、旋回規制孔（ガイド孔）を備えたベースプレート（図１の５；第２のプレート）が固着されている。また、ブラケット部材（図１１の３）は、主軸（図１１の１）の挿入孔と、旋回規制軸（図１１の２ａ、２ｂ）の挿入孔と、を有しており、その下面に、同様の主軸（図１１の１）の挿入孔と、旋回規制軸（図１１の２ａ、２ｂ）の挿入孔と、を備えた摩擦プレート（図１１の６）が固着されている。
【００１４】
上記構成からなるディスプレイの旋回装置は、適宜、ディスプレイスタンドの台座（図１１の２１）、支持部材（図１１の２０）、ディスプレイ本体背面に装着される取付金具３０と組み合わされて、使用される。
【００１５】
このようにしてなるディスプレイの旋回装置及びこれを含んだディスプレイスタンドは、ディスプレイ画面を左右に指向させるに際し、ばね部材（図１１の８ａ、８ｂ、１０）によって所定の圧着荷重で圧着される摩擦プレート（図１１の６）及びベースプレート（図１の５；第２のプレート）の間に生じる摩擦力を超えるモーメントを加えて、ゆっくりとディスプレイ画面を所定の方位に指向させ、速やかに静止させることが可能である。
【００１６】
更に、主軸（図１１の１）、旋回規制軸（図１１の２ａ、２ｂ）との複数の軸により旋回・支持する構成となっているため、長年の使用や過荷重によってもガタの生じにくい構成となっている。
【実施例１】
【００１７】
続いて、本発明の一実施例について、図面を参照して詳細に説明する。図１は、本発明の一実施例に係るディスプレイ旋回装置の正面図、図２は、図１のディスプレイ旋回装置の平面図である。図１、図２を参照すると、本実施例のディスプレイの旋回装置は、大きく分けて、ブラケット部材３と、ベース部材４と、ベースプレート５と、摩擦プレート６との部材からなり、これらに主軸１、旋回規制軸２ａ、２ｂが嵌通されてなっている。まず、これら主要部材について順を追って説明する。
【００１８】
図３、図４は、ブラケット部材３の正面図と、平面図である。図３、図４を参照すると、ブラケット部材３は、主軸孔３１と旋回規制軸孔３２ａ、３２ｂと、下方に固着される摩擦プレート６に設けられた孔６３ａ、６３ｂに対応する凸部３３ａ、３３ｂと、主軸１のワッシャ側に取り付けられる摩擦ワッシャ１３を係止するための孔３４ａ、３４ｂと、薄型ディスプレイ本体に取り付けられる取付金具を取り付けるための螺子孔３５とを有している。
【００１９】
図５は、摩擦プレート６の平面図である。図５を参照すると、摩擦プレート６は、主軸孔６１と、旋回規制軸孔６２ａ、６２ｂと、ブラケット部材３側に設けられた凸部３３ａ、３３ｂに対応する孔６３ａ、６３ｂとを有している。摩擦プレート６は、例えば、りん青銅からなり、後記するベースプレート５との摩擦面を形成する。
【００２０】
図６は、ベースプレート５の平面図である。図６を参照すると、ベースプレート５は、ステンレス鋼からなり、主軸１の頭部付近の形状に適合して主軸を固定する主軸孔５１と、薄型ディスプレイの旋回可能範囲に対応する旋回規制孔（ガイド孔）５２ａ、５２ｂと、後記するベース部材４側に設けられた凸部４３に対応する孔５３と、ベース部材４に設けられた螺子孔４５に対応する孔５４とを有している。図７は、図５のＢ−Ｂ’間の断面図である。図７を参照すると、摩擦プレート６の孔５４は、皿螺子１１の頭部をベースプレート５の内部に収容できるよう面取り加工がなされると共に、皿螺子１１を深く螺入した状態で、窪み（凹部）５５が形成されて、ベースプレート５及び摩擦プレート６間に注されたグリス等の潤滑油を保持可能となっている。
【００２１】
図８、図９、図１０は、ベース部材４の平面図と、側面透視図と、背面図である。図８、図９、図１０を参照すると、ベース部材４は、主軸孔４１と、旋回規制孔（ガイド孔）４２ａ、４２ｂ、上方に固着されるベースプレート５に設けられた孔５３に対応する凸部４３と、上面にベースプレート５を固着するための螺子孔４５と、下面に薄型ディスプレイ本体及び本旋回装置を支持する支持部材（図１１の２０参照）を取り付けるための螺子孔４６とを有している。
【００２２】
再度、図１、図２を参照して、本実施例に係るディスプレイ旋回装置の構成を説明すると、まず、ベース部材４の上方に、ベースプレート５が皿螺子１１で螺子止めされ、更に、ブラケット部材３の下方に、摩擦プレート６がその孔と凸部が嵌合した状態で組み合わされる。そして、主軸１及び旋回規制軸２ａ、２ｂが、ブラケット部材３と、ベース部材４と、ベースプレート５と、摩擦プレート６とを嵌通する形で下方から挿入される。そして、主軸１の端部には、摩擦ワッシャ１３、スプリングワッシャ１０、押さえワッシャ９が配置されて、かしめ止めされる。また、旋回規制軸２ａ、２ｂの軸部中央にはカラー１２が貫装され、旋回規制軸２ａ、２ｂの端部には、スプリングワッシャ８ａ、８ｂが配置されて、ナット７ａ、７ｂで止められている。
【００２３】
図１１は、本実施例に係るディスプレイ旋回装置を組み込んだディスプレイスタンドの正面図である。図１１を参照すると、ブラケット部材３側には、ディスプレイ本体背面への取付金具３０が取り付けられている。また、台座２１の上方に、支持部材２０が取り付けられ、中間部材２２が、支持部材２０の頂部に、中間部材２２の中央部の螺子孔を利用して螺子体２３で固着されている。更に、中間部材２２は、両端部の螺子孔を利用して、螺子体２４により、ベース部材４側に固着される。
【００２４】
以上の構成からなる本実施例に係るディスプレイ旋回装置は、その旋回規制軸２ａ、２ｂの可動範囲で、ディスプレイの左右両端を把持して、軽く左右に回動させることが可能である。また、旋回規制軸２ａ、２ｂのナット７ａ、７ｂの締め付け具合を調整することにより、ベースプレート５及び摩擦プレート６との間で発生する旋回抑制力を調整することが可能である。
【００２５】
また、上記した実施例では、ベース部材４とベースプレート５とを皿螺子１１で螺子止めするとともに、グリス等の潤滑油溜りとなる窪み（凹部）５５を形成しているが、少なくとも、ベースプレート５に対する摩擦プレート６の摺動に影響を及ぼさない態様であればよい。例えば、皿螺子１１を螺子止めした状態で、皿螺子１１の頭部がベースプレート５の表面と同一レベルになるようにし、ベースプレート５又は摩擦プレート６のいずれかに、別個に、窪み（凹部）５５を形成してもよい。
【００２６】
また、上記した実施例では、旋回規制軸を主軸１に対して、両側に２軸配設しているが、軽量のディスプレイであれば、いずれか片側の旋回規制軸及びこれに対応する孔を省略し、１軸で旋回規制するようにすることも可能である。
【実施例２】
【００２７】
続いて、本発明の他の実施例について、図面を参照して詳細に説明する。図１２は、本発明に係るディスプレイ旋回装置を組み込んだ別のディスプレイスタンドの正面図である。図１２を参照すると、本実施例に係るベース部材４は、ディスプレイ本体を支持する支持可能な形状で構成されている。また、ブラケット部材３には、ディスプレイの前後方向の傾動操作を可能とする傾動機構５０が装着されている。その他の構成は、先述した実施例と略同様であるので、省略する。
【００２８】
本実施例に係るディスプレイ旋回装置は、その構成からも明らかなように、左右の首振機能のみならず、前後の俯仰動作を行うことが可能となる。その際に、主軸１に加えて、旋回規制軸２ａ、２ｂにも荷重が分散されるため、ディスプレイ装置を安定して支持することができる。
【００２９】
上記した各実施例のディスプレイ支持装置は、その主要部分を被覆するカバーが装着されて使用される。このとき、既存の小型の液晶ディスプレイ用の支持装置と同様の製品フォルムを採ることも可能となるが、大型の液晶ディスプレイの重量にも耐えうる構成となっている。勿論、支持部材２０、台座２１、取付部材３０等の形状は、図１１、図１２に示したものに限られず、ディスプレイの仕様や、ディスプレイの主用途を考慮して、適宜変更される。
【００３０】
また、上記各実施例のディスプレイ支持装置においては、りん青銅からなる摩擦ワッシャ、摩擦プレート６と、これらに当接するステンレス材とにより、適当なトルクフリクションが得られるように構成したが、りん青銅に代えてその他の材質を用いてもよいことは勿論である。
【００３１】
また、上記各実施例のディスプレイ支持装置においては、摩擦プレート６と、ステンレス材からなるベースプレート５を用いる構成を採用したが、ベースプレート５と、ベース部材４とを一体化してもよいことは勿論である。
【図面の簡単な説明】
【００３２】
【図１】本発明の一実施例に係るディスプレイ旋回装置の正面図である。
【図２】本発明の一実施例に係るディスプレイ旋回装置の平面図である。
【図３】本発明の一実施例に係るディスプレイ旋回装置のブラケット部材の正面図である。
【図４】本発明の一実施例に係るディスプレイ旋回装置のブラケット部材の平面図である。
【図５】本発明の一実施例に係るディスプレイ旋回装置の摩擦プレートの平面図である。
【図６】本発明の一実施例に係るディスプレイ旋回装置のベースプレートの平面図である。
【図７】図６に示したベースプレートのＢ−Ｂ’間の断面図である。
【図８】本発明の一実施例に係るディスプレイ旋回装置のベース部材の平面図である。
【図９】本発明の一実施例に係るディスプレイ旋回装置のベース部材の側面透視図である。
【図１０】本発明の一実施例に係るディスプレイ旋回装置のベース部材の背面図である。
【図１１】本発明の一実施例に係るディスプレイ旋回装置を組み込んだディスプレイスタンドの正面図である。
【図１２】本発明の他の実施例に係るディスプレイスタンドの正面図である。
【符号の説明】
【００３３】
１  主軸
２ａ、２ｂ  旋回規制軸
３  ブラケット部材
４  ベース部材
５  ベースプレート（第２のプレート）
６  摩擦プレート
７ａ、７ｂ  ナット
８ａ、８ｂ  スプリングワッシャ
９  押さえワッシャ
１０  スプリングワッシャ
１１  皿螺子
１２  カラー
１３  摩擦ワッシャ
２０  支持部材
２１  台座
２２  中間部材
２３、２４  螺子体
３０  取付金具
３２ａ、３２ｂ、６２ａ、６２ｂ  旋回規制軸孔
３３ａ、３３ｂ、４３  凸部
３４ａ、３４ｂ、５３、５４、６３ａ、６３ｂ  孔
３５、４５、４６  螺子孔
３１、４１、５１、６１  主軸孔
４２ａ、４２ｂ、５２ａ、５２ｂ  旋回規制孔（ガイド孔）
５５  窪み（凹部）
【図１】
2005284087.tif 000003
【図２】
2005284087.tif 000004
【図３】
2005284087.tif 000005
【図４】
2005284087.tif 000006
【図５】
2005284087.tif 000007
【図６】
2005284087.tif 000008
【図７】
2005284087.tif 000009
【図８】
2005284087.tif 000010
【図９】
2005284087.tif 000011
【図１０】
2005284087.tif 000012
【図１１】
2005284087.tif 000013
【図１２】
2005284087.tif 000014